(57)【特許請求の範囲】
【請求項１】
親機が子機と２線ケーブルを介して接続され、前記親機と前記子機との間で時分割複信によりパケット信号を送受信するドアホンシステムであって、
前記子機は、
カメラ、マイク及びスピーカを有し、該カメラで得た映像データ及び該マイクで得た音声データを含む上りパケット信号を前記親機に送信し、かつ、前記親機から下りパケット信号を受信してデータを再生し、前記下りパケット信号に含まれる音声データを前記スピーカから出力し、
前記親機は、
ディスプレイ部、マイク及びスピーカを有し、前記子機から前記上りパケット信号を受信してデータを再生し、前記上りパケット信号に含まれる映像データを前記ディスプレイ部で表示するとともに前記上りパケット信号に含まれる音声データを前記スピーカから出力し、かつ、前記マイクで得た音声データを含む前記下りパケット信号を前記子機に送信し、
前記子機は、
前記２線ケーブルが正接続であるか逆接続であるかを判定し、
前記２線ケーブルが逆接続である場合、受信した前記下りパケット信号を反転してからデータの再生を行い、かつ、前記上りパケット信号を反転してから送信し、
前記親機は、
前記２線ケーブルが逆接続であっても、前記上りパケット信号を反転せずにデータの再生を行い、かつ、前記下りパケット信号を反転せずに送信する、
ドアホンシステム。
【請求項２】
前記子機は、
前記２線ケーブルが正接続である場合に既知である第１のシンクパターン、および、前記第１のシンクパターンが反転された第２のシンクパターンを記憶し、
受信した前記下りパケット信号から検出されたシンクパターンが前記第１のシンクパターンと一致した場合に前記２線ケーブルが正接続であると判断し、前記検出されたシンクパターンが前記第２のシンクパターンと一致した場合に前記２線ケーブルが逆接続であると判定する、
請求項１に記載のドアホンシステム。
【請求項３】
前記親機は、
他のドアホンシステムの親機と別の２線ケーブルを介して接続されている場合、
前記別の２線ケーブルが正接続であるか逆接続であるかを判定し、
前記別の２線ケーブルが逆接続である場合、前記他のドアホンシステムの親機へのパケット信号を反転してから送信する、
請求項１または２に記載のドアホンシステム。
【請求項４】
前記親機は、
前記別の２線ケーブルが正接続である場合に既知である第１のシンクパターン、および、前記第１のシンクパターンが反転された第２のシンクパターンを記憶し、
前記他のドアホンシステムの親機から受信したパケット信号から検出されたシンクパターンが前記第１のシンクパターンと一致した場合に前記別の２線ケーブルが正接続であると判断し、前記検出されたシンクパターンが前記第２のシンクパターンと一致した場合に前記別の２線ケーブルが逆接続であると判定する、
請求項３に記載のドアホンシステム。
【請求項５】
ディスプレイ部、マイク及びスピーカを有する親機が、カメラ、マイク及びスピーカを有する子機と２線ケーブルを介して接続され、前記親機と前記子機との間で時分割複信によりパケット信号を送受信するドアホンシステムの通信方法であって、
前記子機が、
前記２線ケーブルが正接続であるか逆接続であるかを判定し、
該カメラで得た映像データ及び該マイクで得た音声データを含む上りパケット信号を、前記２線ケーブルが正接続である場合には反転せずに前記親機に送信し、前記２線ケーブルが逆接続である場合には反転してから前記親機に送信し、
前記親機が、
前記子機から前記上りパケット信号を受信してデータを再生し、
前記上りパケット信号に含まれる映像データを前記ディスプレイ部で表示するとともに前記上りパケット信号に含まれる音声データを前記スピーカから出力し、
前記マイクで得た音声データを含む下りパケット信号を前記子機に送信し、
前記子機が、
前記親機から前記下りパケット信号を受信し、前記２線ケーブルが正接続である場合には前記下りパケット信号を反転せずにデータの再生を行い、前記２線ケーブルが逆接続である場合には前記下りパケット信号を反転してからデータの再生を行い、
前記下りパケット信号に含まれる音声データを前記スピーカから出力する、
ドアホンシステムの通信方法。
【発明の詳細な説明】
【技術分野】
【０００１】
本開示は、ドアホンシステムおよびその通信方法に関する。
【背景技術】
【０００２】
近年、住宅等において、例えば、宅外の玄関先に設置されたカメラ付きの子機（以下、「玄関子機」という）と、玄関子機のカメラで撮像された映像をモニタに表示する宅内の親機（以下、「ドアホン親機」という）と、からなるドアホンシステムが広く普及している。また、ドアホンシステムに、モニタを増設する場合もある（以下、「増設モニタ」という）。
【０００３】
一般的に、ドアホンシステムは、玄関子機とドアホン親機とが２線ケーブルにより接続される。また、ドアホン親機と増設モニタとが２線ケーブルにより接続される。特許文献１には、２線ケーブルで接続された玄関子機とドアホン親機との間でパケットを送受信するドアホンシステムが記載されている。
【先行技術文献】
【特許文献】
【０００４】
【特許文献１】特開２００７−１２４２２７号公報
【発明の概要】
【発明が解決しようとする課題】
【０００５】
しかしながら、従来技術では、工事作業者が、ドアホンシステムの初期設定時、運用時、増設時に、２線ケーブルを逆接続した場合に、受信側装置でデータを復調することができなくなる。このため、逆接続を防止するために多くの労力を要し、２線ケーブル配線時の作業効率が低下するという課題を有する。
【０００６】
本開示の目的は、工事作業者が２線ケーブル配線時の作業効率の向上を図ることができるドアホンシステムおよびその通信方法を提供することである。
【課題を解決するための手段】
【０００７】
本開示のドアホンシステムは、親機が子機と２線ケーブルを介して接続され、前記親機と前記子機との間で時分割複信によりパケット信号を送受信するドアホンシステムであって、前記子機は、カメラ、マイク及びスピーカを有し、該カメラで得た映像データ及び該マイクで得た音声データを含む上りパケット信号を前記親機に送信し、かつ、前記親機から下りパケット信号を受信してデータを再生し、前記下りパケット信号に含まれる音声データを前記スピーカから出力し、前記親機は、ディスプレイ部、マイク及びスピーカを有し、前記子機から前記上りパケット信号を受信してデータを再生し、前記上りパケット信号に含まれる映像データを前記ディスプレイ部で表示するとともに前記上りパケット信号に含まれる音声データを前記スピーカから出力し、かつ、前記マイクで得た音声データを含む前記下りパケット信号を前記子機に送信し、前記子機は、前記２線ケーブルが正接続であるか逆接続であるかを判定し、前記２線ケーブルが逆接続である場合、受信した前記下りパケット信号を反転してからデータの再生を行い、かつ、前記上りパケット信号を反転してから送信し、前記親機は、前記２線ケーブルが逆接続であっても、前記上りパケット信号を反転せずにデータの再生を行い、かつ、前記下りパケット信号を反転せずに送信する。
【００１０】
本開示の通信方法は、ディスプレイ部、マイク及びスピーカを有する親機が、カメラ、マイク及びスピーカを有する子機と２線ケーブルを介して接続され、前記親機と前記子機との間で時分割複信によりパケット信号を送受信するドアホンシステムの通信方法であって、前記子機が、前記２線ケーブルが正接続であるか逆接続であるかを判定し、該カメラで得た映像データ及び該マイクで得た音声データを含む上りパケット信号を、前記２線ケーブルが正接続である場合には反転せずに前記親機に送信し、前記２線ケーブルが逆接続である場合には反転してから前記親機に送信し、前記親機が、前記子機から前記上りパケット信号を受信してデータを再生し、前記上りパケット信号に含まれる映像データを前記ディスプレイ部で表示するとともに前記上りパケット信号に含まれる音声データを前記スピーカから出力し、前記マイクで得た音声データを含む下りパケット信号を前記子機に送信し、前記子機が、前記親機から前記下りパケット信号を受信し、前記２線ケーブルが正接続である場合には前記下りパケット信号を反転せずにデータの再生を行い、前記２線ケーブルが逆接続である場合には前記下りパケット信号を反転してからデータの再生を行い、前記下りパケット信号に含まれる音声データを前記スピーカから出力する。
【発明の効果】
【００１１】
本開示によれば、２線ケーブルが逆接続の場合、送信側装置あるいは受信側装置のいずれか一方において、データを反転してから送信／受信を行うことにより、２線ケーブルの接続状態にかかわらず受信側装置がデータを復調することができる。したがって、工事作業者は、接続状態（正接続か逆接続か）を気にすることなく、２線ケーブルを配線することができるので、２線ケーブル配線時の作業効率を上げることができる。
【図面の簡単な説明】
【００１２】
【図１】本開示の一実施の形態に係るドアホンシステムの構成を示すシステム構成図
【図２】本開示の一実施の形態に係るフレーム構成、スロット構成を示す図
【図３】本開示の一実施の形態に係る玄関子機の構成を示すブロック図
【図４】本開示の一実施の形態に係るドアホン親機の構成を示すブロック図
【図５】本開示の一実施の形態に係る増設モニタの構成を示すブロック図
【図６】パケットデータ（１ビット）に対する変調処理の一例を示す図
【図７】パケットデータ（複数ビット）に対する変調処理の一例を示す図
【図８】本開示の一実施の形態において使用されるプリアンブルデータの一例を示す図
【図９】本開示の一実施の形態に係る玄関子機の同期検出部の内部構成を示すブロック図
【図１０】本開示の一実施の形態に係る玄関子機の同期検出処理の一例を示す図
【図１１】本開示の一実施の形態に係る同期検出処理の動作の一例を示すフローチャート
【図１２】本開示の一実施の形態に係る玄関子機の動作の一例を示すフローチャート
【図１３】本開示の一実施の形態に係るドアホン親機の動作の一例を示すフローチャート
【発明を実施するための形態】
【００１３】
以下、本開示の実施の形態について、図面を参照して詳細に説明する。
【００１４】
＜システムの概要＞
まず、本開示の一実施の形態に係るドアホンシステムの概要について、図１を用いて説明する。図１に示すように、ドアホンシステム１は、玄関子機１００と、ドアホン親機２００と、から構成される。なお、図１では、ドアホン親機２００に３台の玄関子機１００−１、１００−２、１００−３が接続している場合を例示している。また、ドアホンシステム１には、増設モニタ３００を追加しても良い。さらに、ドアホンシステム１は、他のドアホンシステムと接続することもできる。
【００１５】
玄関子機１００は、例えば、住宅等の玄関先に設けられる。ドアホン親機２００および増設モニタ３００は、例えば、住宅等の宅内に設けられ、壁に固定されたり、テーブルまたは台の上などに載置されたりする。玄関子機１００とドアホン親機２００とは、１対の銅線から成る２線ケーブルにより接続されている。増設モニタ３００は、２線ケーブルによりドアホン親機２００と接続される。
【００１６】
ドアホン親機２００は、玄関子機１００と通信を行い、玄関子機１００から映像データ、音声データおよび制御データを受信し、音声データおよび制御データを送信する。また、ドアホン親機２００は、増設モニタ３００と通信を行い、玄関子機１００から受信した映像データ、音声データおよび制御データを増設モニタ３００に転送し、増設モニタ３００から受信した音声データおよび制御データを玄関子機１００に転送する。
【００１７】
なお、以下の説明において、玄関子機１００あるいは増設モニタ３００からドアホン親機２００への方向を「上り方向」といい、玄関子機１００あるいは増設モニタ３００から上り方向に送信されるパケット、信号をそれぞれ「上りパケット」、「上り信号」という。また、ドアホン親機２００から玄関子機１００あるいは増設モニタ３００への方向を「下り方向」といい、ドアホン親機２００から下り方向に送信されるパケット、信号をそれぞれ「下りパケット」、「下り信号」という。
【００１８】
＜フレーム構成、スロット構成＞
次に、本実施の形態に係るフレーム構成、スロット構成について図２を用いて説明する。図２に示すように、各フレームは、48000bitの領域を有し、10ms周期、4.8Mbpsのビットレートであり、２４スロットに分割される。したがって、各スロットは、2000bit=250byteの領域を有し、0.416ms周期、4.8Mbpsのビットレートになる。
【００１９】
各スロットは、52byteのガードスペース（Guard）、4byteのプリアンブルフィールド、2byteのシンクフィールド（Sync）、32byteの制御データフィールド、160byteのユーザデータフィールドに分けられている。
【００２０】
ガードスペースは、伝播遅延時間差やクロックジッタ等によるスロットの衝突を避けるための時間である。プリアンブルフィールドには、所定のユニークパターンを有するプリアンブルデータ（後述）が付加される。シンクフィールドには、所定のシンクパターンが付加される。制御データフィールドには、制御データが付加される。ユーザデータフィールドには、画像データおよび音声データが付加される。ここでシンクパターンとは、シンクフィールドに配置された既知のデータあるいはデータ列であって、受信データ受信時の同期を確立するために用いられ、受信データが正確なタイミングで受信されたことを確認するための予め規定した既知のデータパターンである。
【００２１】
＜玄関子機の構成＞
次に、玄関子機１００の構成について、図３のブロック図を用いて説明する。図３に示すように、玄関子機１００は、ケーブル接続部１０１、キー入力部１０２、スピーカ１０３、マイク１０４、音声Ｉ／Ｆ（インターフェイス）部１０５、カメラ部１０６および制御部１０７を有する。制御部１０７は、内部に、第１クロック生成部１３１、パケット生成部１３２、データ再生部１３３、接続状態検出部１３４を有する。また、玄関子機１００は、送信データ処理部１０８、送信データ反転部１０９、送信ドライバ１１０、受信ドライバ１１１、受信データ反転部１１２、同期検出部１１３、第２クロック生成部１１４を有する。
【００２２】
ケーブル接続部１０１は、２線ケーブル用の接続端子を含み、２線ケーブルの玄関側の一端と、受信ドライバ１１１および送信ドライバ１１０との間を、信号を伝送可能な状態で接続する。なお、２線ケーブルの他端は、ドアホン親機２００に接続される。
【００２３】
キー入力部１０２は、呼出ボタンを含み、呼出ボタンが操作されたとき、その旨を示す信号を制御部１０７に出力する。
【００２４】
スピーカ１０３は、音声Ｉ／Ｆ部１０５から出力されたアナログ音声データを、音声に変換して出力する。
【００２５】
マイク１０４は、周囲の音声を集音してアナログ音声データに変換し、音声Ｉ／Ｆ部１０５に出力する。
【００２６】
音声Ｉ／Ｆ部１０５は、制御部１０７から出力されたデジタル音声データを、アナログ音声データに変換し、信号レベルを調整して、スピーカ１０３に出力する。また、音声Ｉ／Ｆ部１０５は、マイク１０４から出力されたアナログ音声データを、信号レベルを調整し、デジタル音声データに変換して、制御部１０７に出力する。かかるアナログ／デジタル変換は、Ａ／Ｄ，Ｄ／Ａ変換器（図示せず）により行われる。
【００２７】
なお、音声Ｉ／Ｆ部１０５は、マイク１０４から出力されたアナログ音声データをデジタル変換したデータに対して、所定の音声圧縮処理を行って得られるデータを、デジタル音声データとして制御部１０７に出力してもよい。また、音声Ｉ／Ｆ部１０５は、制御部１０７から出力されたデジタル音声データが所定の音声圧縮処理を行って得られたデータである場合、当該データに対して所定の音声伸張処理を行ってから、デジタル／アナログ変換を行う。
【００２８】
カメラ部１０６は、デジタルカメラを含み、玄関の映像を撮影し、デジタル映像データを生成して、制御部１０７に出力する。なお、カメラ部１０６は、エンコーダモジュールを搭載していてもよい。すなわち、カメラ部１０６は、デジタルカメラから出力された映像データに対してＨ.２６４等の所定の動画圧縮処理を行って得られるデータを、デジタル映像データとして制御部１０７に出力してもよい。
【００２９】
制御部１０７は、玄関子機１００の各部の制御を行う。また、制御部１０７は、送信を許可する送信区間、および、受信を許可する受信区間を指示する切り替え制御信号（SW CON）を送信ドライバ１１０および受信ドライバ１１１に出力する。
【００３０】
制御部１０７の第１クロック生成部１３１は、受信データをサンプリングするためのクロックであって、水晶発振を基準に、受信データのビットレートのｎ倍（ｎは１以上）に対応する第１周波数（例えば、48MHz（ｎ＝１０））のクロック（CLK）を生成し、同期検出部１１３、第２クロック生成部１１４に出力する。
【００３１】
制御部１０７のパケット生成部１３２は、映像付き通話を実現するための上りパケットを生成する。具体的には、パケット生成部１３２は、音声Ｉ／Ｆ部１０５から出力されたデジタル音声データおよびカメラ部１０６から出力されたデジタル映像データを適宜分割して各スロットのユーザデータフィールドに書き込み、制御データを各スロットの制御データフィールドに書き込む。さらに、パケット生成部１３２は、各スロットに、プリアンブルデータ、シンクパターンを書き込み、上りパケット（送信データ）を生成する。さらに、パケット生成部１３２は、送信用のイネーブル信号（SSCS）および送信用の第２周波数（例えば、4.8MHz）のクロック（SSCK）を生成する。そして、パケット生成部１３２は、上りパケットを、送信用のイネーブル信号（SSCS）およびクロック（SSCK）と同期させて、送信データ処理部１０８に出力する。
【００３２】
制御部１０７のデータ再生部１３３は、同期検出部１１３からイネーブル信号（SSCS）を入力すると、第２クロック生成部１１４から出力された第２周波数のクロック（SSCK）を使用し、受信データ反転部１１２から出力された下り信号を復調して下りパケットを取得する。そして、データ再生部１３３は、下りパケットに含まれるデジタル音声データを音声Ｉ／Ｆ部１０５に出力し、下りパケット（受信データ）に含まれるシンクパターンを接続状態検出部１３４に出力する。
【００３３】
制御部１０７の接続状態検出部１３４は、２線ケーブルが正接続である場合のチェック用シンクパターン（以下、「正接続チェック用シンクパターン」という（例えば、16bit全てが「０」））、および、正接続チェック用シンクパターンの逆のパターンであって、２線ケーブルが逆接続である場合のチェック用シンクパターン（以下、「逆接続チェック用シンクパターン」という（例えば、16bit全てが「１」））を記憶している。そして、接続状態検出部１３４は、データ再生部１３３から出力された受信データのシンクパターンを、正接続チェック用シンクパターンおよび逆接続チェック用シンクパターンと照合する。接続状態検出部１３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部１３４は、判定結果を示す反転制御信号（INV CON）を、送信データ反転部１０９および受信データ反転部１１２に出力する。
【００３４】
送信データ処理部１０８は、パケット生成部１３２からイネーブル信号（SSCS）を入力すると、パケット生成部１３２から出力された第２周波数のクロック（SSCK）を使用し、パケット生成部１３２から出力された上りパケットのデータに対して変調処理を行って上り信号を生成し、送信データ反転部１０９に出力する。なお、送信データ処理部１０８の変調処理の詳細（具体例）については後述する。
【００３５】
送信データ反転部１０９は、接続状態検出部１３４において２線ケーブルが逆接続であると判定された場合、送信データ処理部１０８から出力された上り信号を反転させて送信ドライバ１１０に出力する。一方、送信データ反転部１０９は、接続状態検出部１３４において２線ケーブルが正接続であると判定された場合、送信データ処理部１０８から出力された上り信号をそのまま送信ドライバ１１０に出力する。
【００３６】
送信ドライバ１１０は、制御部１０７からの切り替え制御信号（SW CON）によって指示された送信区間において、上り信号を、ケーブル接続部１０１を介してドアホン親機２００に送信する。
【００３７】
受信ドライバ１１１は、ドアホン親機２００から送信された下り信号を、ケーブル接続部１０１を介して受信する。そして、受信ドライバ１１１は、制御部１０７からの切り替え制御信号（SW CON）によって指示された受信区間において、下り信号を、受信データ反転部１１２に出力する。
【００３８】
受信データ反転部１１２は、接続状態検出部１３４において２線ケーブルが逆接続であると判定された場合、受信ドライバ１１１から出力された下り信号を反転させて同期検出部１１３、第２クロック生成部１１４、データ再生部１３３に出力する。一方、受信データ反転部１１２は、接続状態検出部１３４において２線ケーブルが正接続であると判定された場合、受信ドライバ１１１から出力された下り信号をそのまま同期検出部１１３、第２クロック生成部１１４、データ再生部１３３に出力する。
【００３９】
同期検出部１１３は、第１クロック生成部１３１から出力された第１周波数のクロック（CLK）を使用し、受信ドライバ１１１から出力された下り信号に含まれるプリアンブルデータを用いてドアホン親機２００との同期（受信データの各ビットの先頭のタイミング）を検出する。そして、同期検出部１１３は、プリアンブルデータのユニークパターンを検出したタイミングで、クロック出力開始の基準となるトリガ信号を第２クロック生成部１１４に出力し、データ再生動作を許可するイネーブル信号（SSCS）をデータ再生部１３３に出力する。なお、同期検出部１１３の構成の詳細については、後述する。
【００４０】
第２クロック生成部１１４は、同期検出部１１３から指示されたタイミングで、第１クロック生成部１３１から出力された第１周波数のクロック（CLK）を基準に、受信データのビットレートに対応する第２周波数（例えば、4.8MHz）のクロック（SSCK）を生成し、データ再生部１３３に出力する。
【００４１】
＜ドアホン親機の構成＞
次に、ドアホン親機２００の構成について、図４のブロック図を用いて説明する。図４に示すように、ドアホン親機２００は、ケーブル接続部２０１、キー入力部２０２、スピーカ２０３、マイク２０４、音声Ｉ／Ｆ部２０５、ディスプレイ部２０６および制御部２０７を有する。制御部２０７は、内部に、第１クロック生成部２３１、パケット生成部２３２、データ再生部２３３、接続状態検出部２３４を有する。また、ドアホン親機２００は、送信データ処理部２０８、送信データ反転部２０９、送信ドライバ２１０、受信ドライバ２１１およびルーティング制御部２１２、同期検出部２１３、第２クロック生成部２１４を有する。なお、ドアホン親機２００は、ケーブル接続部２０１、送信ドライバ２１０および受信ドライバ２１１を、Ｎ個（Ｎは自然数）有する。
【００４２】
ケーブル接続部２０１−ｉ（ｉは１からＮまでの何れかの整数）は、２線ケーブル用の接続端子を含み、２線ケーブルの室内側の一端と、送信ドライバ２１０−ｉおよび受信ドライバ２１１−ｉとの間を、信号を伝送可能な状態で接続する。なお、各２線ケーブルの他端は、玄関子機１００、増設モニタ３００あるいは他のドアホンシステムの親機に接続される。図４では、ケーブル接続部２０１−１が、他のドアホンシステムの親機に接続されている場合を例示している。
【００４３】
キー入力部２０２は、応答ボタンを含み、応答ボタンが操作されたとき、その旨を示す信号を制御部２０７に出力する。
【００４４】
スピーカ２０３は、音声Ｉ／Ｆ部２０５から出力されたアナログ音声データを、音声に変換して出力する。
【００４５】
マイク２０４は、周囲の音声を集音してアナログ音声データに変換し、音声Ｉ／Ｆ部２０５に出力する。
【００４６】
音声Ｉ／Ｆ部２０５は、制御部２０７から出力されたデジタル音声データを、アナログ音声データに変換し、信号レベルを調整して、スピーカ２０３に出力する。また、音声Ｉ／Ｆ部２０５は、マイク２０４から出力されたアナログ音声データを、信号レベルを調整し、デジタル音声データに変換して、制御部２０７に出力する。かかるアナログ／デジタル変換は、Ａ／Ｄ，Ｄ／Ａ変換器（図示せず）により行われる。
【００４７】
なお、音声Ｉ／Ｆ部２０５は、マイク２０４から出力されたアナログ音声データをデジタル変換したデータに対して、所定の音声圧縮処理を行って得られるデータを、デジタル音声データとして制御部２０７に出力してもよい。また、音声Ｉ／Ｆ部２０５は、制御部２０７から出力されたデジタル音声データが所定の音声圧縮処理を行って得られたデータである場合、当該データに対して所定の音声伸張処理を行ってから、デジタル／アナログ変換を行う。
【００４８】
ディスプレイ部２０６は、液晶ディスプレイを含み、制御部２０７から出力されたデジタル映像データを再生し、玄関の映像を表示する。なお、制御部２０７から出力されたデジタル映像データが所定の動画圧縮処理を行って得られたデータである場合、当該データに対して所定の動画伸張処理を行って、映像表示を行う。
【００４９】
制御部２０７は、ドアホン親機２００の各部の制御を行う。また、制御部２０７は、送信を許可する送信区間、および、受信を許可する受信区間を指示する切り替え制御信号（SW CON）を各送信ドライバ２１０−ｉ、各受信ドライバ２１１−ｉおよびルーティング制御部２１２に出力する。
【００５０】
制御部２０７の第１クロック生成部２３１は、受信データをサンプリングするためのクロックであって、水晶発振を基準に、受信データのビットレートのｎ倍に対応する第１周波数（例えば、48MHz（ｎ＝１０））のクロック（CLK）を生成し、同期検出部２１３、第２クロック生成部２１４に出力する。
【００５１】
制御部２０７のパケット生成部２３２は、映像付き通話を実現するための下りパケットを生成する。具体的には、パケット生成部２３２は、音声Ｉ／Ｆ部２０５から出力されたデジタル音声データを適宜分割して各スロットのユーザデータフィールドに書き込み、制御データを各スロットの制御データフィールドに書き込む。さらに、パケット生成部２３２は、各スロットに、プリアンブルデータ、シンクパターンを書き込み、下りパケット（送信データ）を生成する。さらに、パケット生成部２３２は、送信用のイネーブル信号（SSCS）および送信用の第２周波数（例えば、4.8MHz）のクロック（SSCK）を生成する。そして、パケット生成部２３２は、下りパケットを、送信用のイネーブル信号（SSCS）およびクロック（SSCK）と同期させて、送信データ処理部２０８に出力する。
【００５２】
また、パケット生成部２３２は、ドアホン親機２００の動作あるいは玄関子機１００の動作に関する制御データを、玄関子機１００への送信の対象となるデータとして送信データ処理部２０８に出力してもよい。かかる制御データには、例えば、ドアホン親機２００から玄関子機１００のカメラ動作（データレート、パン、チルト、ライト、シャッター、およびフィルター等の動作）や、玄関子機１００に備えられた各種センサデバイスの動作を、ドアホン親機２００から制御するための制御信号が含まれる。また、かかる制御データには、玄関子機１００に備えられた無線通信回路等（図示せず）を介して屋外に配置されたデバイス（門の電子鍵等）の動作を制御するための制御信号が含まれる。
【００５３】
制御部２０７のデータ再生部２３３は、同期検出部２１３からイネーブル信号（SSCS）を入力すると、第２クロック生成部２１４から出力された第２周波数のクロック（SSCK）を使用し、ルーティング制御部２１２から出力された上り信号を復調して上りパケットを取得する。そして、データ再生部２３３は、上りパケットに含まれるデジタル音声データを音声Ｉ／Ｆ部２０５に出力し、上りパケットに含まれるデジタル映像データをディスプレイ部２０６に出力し、上りパケットに含まれるシンクパターンを接続状態検出部２３４に出力する。
【００５４】
制御部２０７の接続状態検出部２３４は、正接続チェック用シンクパターンおよび逆接続チェック用シンクパターンを記憶し、データ再生部２３３から出力された受信データのシンクパターンを、正接続チェック用シンクパターンおよび逆接続チェック用シンクパターンと照合する。接続状態検出部２３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部２３４は、判定結果を示す反転制御信号（INV CON）を、送信データ反転部２０９に出力する。
【００５５】
送信データ処理部２０８は、パケット生成部２３２からイネーブル信号（SSCS）を入力すると、パケット生成部２３２から出力された第２周波数のクロック（SSCK）を使用し、パケット生成部２３２から出力された下りパケットのデータに対して変調処理を行って下り信号を生成し、ルーティング制御部２１２に出力する。
【００５６】
送信データ反転部２０９は、接続状態検出部２３４において２線ケーブルが逆接続であると判定された場合、ルーティング制御部２１２から出力された下り信号を反転させて送信ドライバ２１０−１に出力する。一方、送信データ反転部２０９は、接続状態検出部２３４において２線ケーブルが正接続であると判定された場合、ルーティング制御部２１２から出力された下り信号をそのまま送信ドライバ２１０−１に出力する。
【００５７】
送信ドライバ２１０−１は、制御部２０７からの切り替え制御信号（SW CON）によって指示された送信区間において、下り信号を、ケーブル接続部２０１−１を介して他のドアホンシステムの親機に送信する。送信ドライバ２１０−ｉ（この場合、ｉは１以外）は、制御部２０７からの切り替え制御信号（SW CON）によって指示された送信区間において、下り信号を、ケーブル接続部２０１−ｉを介して玄関子機１００あるいは増設モニタ３００に送信する。
【００５８】
受信ドライバ２１１−ｉは、玄関子機１００、増設モニタ３００あるいは他のドアホンシステムの親機から送信された上り信号を、ケーブル接続部２０１−ｉを介して受信する。そして、受信ドライバ２１１−ｉは、制御部２０７からの切り替え制御信号（SW CON）によって指示された受信区間において、上り信号を、ルーティング制御部２１２に出力する。
【００５９】
ルーティング制御部２１２は、玄関子機１００から送信され、受信ドライバ２１１−ｉから出力された上り信号を、親機２００宛である場合には同期検出部２１３、第２クロック生成部２１４、データ再生部２３３に出力し、増設モニタ３００宛である場合には対応の送信ドライバ２１０−ｉに出力する。また、ルーティング制御部２１２は、送信データ処理部２０８から出力された玄関子機１００宛の下り信号を、対応の送信ドライバ２１０−ｉに出力する。また、ルーティング制御部２１２は、増設モニタ３００から送信され、受信ドライバ２１１−ｉから出力された玄関子機１００宛の上り信号を、対応の送信ドライバ２１０−ｉに出力する。
【００６０】
同期検出部２１３は、第１クロック生成部２３１から出力された第１周波数のクロック（CLK）を使用し、ルーティング制御部２１２から出力された上り信号に含まれるプリアンブルデータを用いて玄関子機１００との同期（受信データの各ビットの先頭のタイミング）を検出する。そして、同期検出部２１３は、プリアンブルデータのユニークパターンを検出したタイミングで、クロック出力開始の基準となるトリガ信号を第２クロック生成部２１４に出力し、データ再生動作を許可するイネーブル信号（SSCS）をデータ再生部２３３に出力する。
【００６１】
第２クロック生成部２１４は、同期検出部２１３から指示されたタイミングで、第１クロック生成部２３１から出力された第１周波数のクロック（CLK）を基準に、受信データのビットレートに対応する第２周波数（例えば、4.8MHz）のクロック（SSCK）を生成し、第２周波数のクロックをデータ再生部２３３に出力する。
【００６２】
＜増設モニタの構成＞
次に、増設モニタ３００の構成について、図５のブロック図を用いて説明する。図５に示すように、増設モニタ３００は、ケーブル接続部３０１、キー入力部３０２、スピーカ３０３、マイク３０４、音声Ｉ／Ｆ（インターフェイス）部３０５、ディスプレイ部３０６および制御部３０７を有する。制御部３０７は、内部に、第１クロック生成部３３１、パケット生成部３３２、データ再生部３３３、接続状態検出部３３４を有する。また、増設モニタ３００は、送信データ処理部３０８、送信データ反転部３０９、送信ドライバ３１０、受信ドライバ３１１、受信データ反転部３１２、同期検出部３１３、第２クロック生成部３１４を有する。
【００６３】
ケーブル接続部３０１は、２線ケーブル用の接続端子を含み、２線ケーブルの増設モニタ側の一端と、受信ドライバ３１１および送信ドライバ３１０との間を、信号を伝送可能な状態で接続する。なお、２線ケーブルの他端は、ドアホン親機２００に接続される。
【００６４】
キー入力部３０２は、呼出ボタンを含み、呼出ボタンが操作されたとき、その旨を示す信号を制御部３０７に出力する。
【００６５】
スピーカ３０３は、音声Ｉ／Ｆ部３０５から出力されたアナログ音声データを、音声に変換して出力する。
【００６６】
マイク３０４は、周囲の音声を集音してアナログ音声データに変換し、音声Ｉ／Ｆ部３０５に出力する。
【００６７】
音声Ｉ／Ｆ部３０５は、制御部３０７から出力されたデジタル音声データを、アナログ音声データに変換し、信号レベルを調整して、スピーカ３０３に出力する。また、音声Ｉ／Ｆ部３０５は、マイク３０４から出力されたアナログ音声データを、信号レベルを調整し、デジタル音声データに変換して、制御部３０７に出力する。かかるアナログ／デジタル変換は、Ａ／Ｄ，Ｄ／Ａ変換器（図示せず）により行われる。
【００６８】
なお、音声Ｉ／Ｆ部３０５は、マイク３０４から出力されたアナログ音声データをデジタル変換したデータに対して、所定の音声圧縮処理を行って得られるデータを、デジタル音声データとして制御部３０７に出力してもよい。また、音声Ｉ／Ｆ部３０５は、制御部３０７から出力されたデジタル音声データが所定の音声圧縮処理を行って得られたデータである場合、当該データに対して所定の音声伸張処理を行ってから、デジタル／アナログ変換を行う。
【００６９】
ディスプレイ部３０６は、液晶ディスプレイを含み、制御部３０７から出力されたデジタル映像データを再生し、玄関の映像を表示する。なお、制御部３０７から出力されたデジタル映像データが所定の動画圧縮処理を行って得られたデータである場合、当該データに対して所定の動画伸張処理を行って、映像表示を行う。
【００７０】
制御部３０７は、増設モニタ３００の各部の制御を行う。また、制御部３０７は、送信を許可する送信区間、および、受信を許可する受信区間を指示する切り替え制御信号（SW CON）を送信ドライバ３１０および受信ドライバ３１１に出力する。
【００７１】
制御部３０７の第１クロック生成部３３１は、受信データをサンプリングするためのクロックであって、水晶発振を基準に、受信データのビットレートのｎ倍に対応する第１周波数（例えば、48MHz（ｎ＝１０））のクロック（CLK）を生成し、同期検出部３１３、第２クロック生成部３１４に出力する。
【００７２】
制御部３０７のパケット生成部３３２は、映像付き通話を実現するための上りパケットを生成する。具体的には、パケット生成部３３２は、音声Ｉ／Ｆ部３０５から出力されたデジタル音声データを適宜分割して各スロットのユーザデータフィールドに書き込み、制御データを各スロットの制御データフィールドに書き込む。さらに、パケット生成部３３２は、各スロットに、プリアンブルデータ、シンクパターンを書き込み、上りパケット（送信データ）を生成する。さらに、パケット生成部３３２は、送信用のイネーブル信号（SSCS）および送信用の第２周波数（例えば、4.8MHz）のクロック（SSCK）を生成する。そして、パケット生成部３３２は、上りパケットを、送信用のイネーブル信号（SSCS）およびクロック（SSCK）と同期させて、送信データ処理部３０８に出力する。
【００７３】
制御部３０７のデータ再生部３３３は、同期検出部３１３からイネーブル信号（SSCS）を入力すると、第２クロック生成部３１４から出力された第２周波数のクロック（SSCK）を使用し、受信データ反転部３１２から出力された下り信号を復調して下りパケットを取得する。そして、データ再生部３３３は、下りパケットに含まれるデジタル映像データをディスプレイ部３０６に出力し、下りパケットに含まれるデジタル音声データを音声Ｉ／Ｆ部３０５に出力し、下りパケットに含まれるシンクパターンを接続状態検出部３３４に出力する。
【００７４】
制御部３０７の接続状態検出部３３４は、正接続チェック用シンクパターンおよび逆接続チェック用シンクパターンを記憶し、データ再生部３３３から出力された受信データのシンクパターンを、正接続チェック用シンクパターンおよび逆接続チェック用シンクパターンと照合する。接続状態検出部３３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部３３４は、判定結果を示す反転制御信号（INV CON）を、送信データ反転部３０９および受信データ反転部３１２に出力する。
【００７５】
送信データ処理部３０８は、パケット生成部３３２からイネーブル信号（SSCS）を入力すると、パケット生成部３３２から出力された第２周波数のクロック（SSCK）を使用し、パケット生成部３３２から出力された上りパケットのデータに対して変調処理を行って上り信号を生成し、送信データ反転部３０９に出力する。
【００７６】
送信データ反転部３０９は、接続状態検出部３３４において２線ケーブルが逆接続であると判定された場合、送信データ処理部３０８から出力された上り信号を反転させて送信ドライバ３１０に出力する。一方、送信データ反転部３０９は、接続状態検出部３３４において２線ケーブルが正接続であると判定された場合、送信データ処理部３０８から出力された上り信号をそのまま送信ドライバ３１０に出力する。
【００７７】
送信ドライバ３１０は、制御部３０７からの切り替え制御信号（SW CON）によって指示された送信区間において、上り信号を、ケーブル接続部３０１を介してドアホン親機２００に送信する。
【００７８】
受信ドライバ３１１は、ドアホン親機２００から送信された下り信号を、ケーブル接続部３０１を介して受信する。そして、受信ドライバ３１１は、制御部３０７からの切り替え制御信号（SW CON）によって指示された受信区間において、下り信号を、受信データ反転部３１２に出力する。
【００７９】
受信データ反転部３１２は、接続状態検出部３３４において２線ケーブルが逆接続であると判定された場合、受信ドライバ３１１から出力された下り信号を反転させて同期検出部３１３、第２クロック生成部３１４、データ再生部３３３に出力する。一方、受信データ反転部３１２は、接続状態検出部３３４において２線ケーブルが正接続であると判定された場合、受信ドライバ３１１から出力された下り信号をそのまま同期検出部３１３、第２クロック生成部３１４、データ再生部３３３に出力する。
【００８０】
同期検出部３１３は、第１クロック生成部３３１から出力された第１周波数のクロック（CLK）を使用し、受信ドライバ３１１から出力された下り信号に含まれるプリアンブルデータを用いてドアホン親機２００との同期（受信データの各ビットの先頭のタイミング）を検出する。そして、同期検出部３１３は、プリアンブルデータのユニークパターンを検出したタイミングで、クロック出力開始の基準となるトリガ信号を第２クロック生成部３１４に出力し、データ再生動作を許可するイネーブル信号（SSCS）をデータ再生部３３３に出力する。
【００８１】
第２クロック生成部３１４は、同期検出部３１３から指示されたタイミングで、第１クロック生成部３３１から出力された第１周波数のクロック（CLK）を基準に、受信データのビットレートに対応する第２周波数（例えば、4.8MHz）のクロック（SSCK）を生成し、データ再生部３３３に出力する。
【００８２】
なお、玄関子機１００、ドアホン親機２００および増設モニタ３００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路をそれぞれ有する。この場合、上記した各部の機能は、ＣＰＵが制御プログラムを実行することにより実現される。
【００８３】
＜変調処理の一例＞
次に、送信データ処理部１０８（２０８、３０８）が行う変調処理の一例について図６、図７を用いて説明する。図６、図７では、マンチェスタ符号を採用した場合を示している。
【００８４】
送信データ処理部１０８（２０８、３０８）は、周期Ｔｍ毎に、パケットの各データ（１ビット）に対応する信号を１つ生成する。マンチェスタ符号を採用した場合、図６に示すように、送信データ処理部１０８（２０８、３０８）は、値「０」のデータ４０１にLowからHighへの立上りを発生させ、変調信号４０２を生成する。また、送信データ処理部１０８（２０８、３０８）は、値「１」のデータ４１１にHighからLowへの立下りを発生させ、変調信号４１２を生成する。
【００８５】
そして、図７に示すように、「０，０，１，・・・，１，０」というデータ列４２１に対して、送信データ処理部１０８（２０８、３０８）は、各ビットの値に対応して、周期Ｔｍ毎に立上りあるいは立下りを有する変調信号４２２を生成する。
【００８６】
＜プリアンブルデータの一例＞
次に、本実施の形態において使用されるプリアンブルデータの一例について図８を用いて説明する。
【００８７】
図８に示すように、本実施の形態において使用されるプリアンブルデータ（4byte=32bit）は、1byte目から3byte目までがすべて「０」のパターンであり、4byte目が、最初から7bitが「０」で、最後の1bitが「１」のパターンである。この結果、図８に示すプリアンブルデータは、4byte目の7bit目と8bit目（最初から31bit目と32bit目）の部分においてＨ（High）の期間が他よりも長いユニークパターンとなっている。
【００８８】
なお、２線ケーブルが逆接続である場合、送信側装置において反転処理を行わなければ、プリアンブルデータは、受信側装置の受信時において、4byte目の7bit目と8bit目の部分においてＬ（Low）の期間が他よりも長いユニークパターンとなる。
【００８９】
＜同期検出部の内部構成＞
次に、玄関子機１００の同期検出部１１３の内部構成の詳細について、図９を用いて説明する。なお、その説明の際、本実施の形態の同期検出処理について理解を容易にするため、図９と併せて図１０を用いる。図１０の例において、プリアンブルデータおよびそのユニークパターンは、図８に示したものを用いる。
【００９０】
図９に示すように、同期検出部１１３は、第１のユニークパターン検出部１５１、第２のユニークパターン検出部１５２およびイネーブル信号生成部１５３を有する。
【００９１】
第１のユニークパターン検出部１５１は、２線ケーブルが正接続である場合のチェック用ユニークパターン（以下、「正接続チェック用ユニークパターン」という（図９の例では［ＨＨＨＬＬＬＬＬＬＬ］））を記憶している。そして、第１のユニークパターン検出部１５１は、第１クロック生成部１３１のクロックで、受信データ反転部１１２から出力された受信データから出力された受信データに含まれるプリアンブルデータをサンプリングし、正接続チェック用ユニークパターンの数に対応するサンプル区間のサンプリング値と正接続チェック用ユニークパターンを照合する。第１のユニークパターン検出部１５１は、サンプリング値と正接続チェック用ユニークパターンが完全に一致した場合にユニークパターンを検出したと判定し、その旨を示す信号をイネーブル信号生成部１５３に出力する。図１０の例では、サンプル区間５０１の１０個のサンプリング値が、正接続チェック用ユニークパターンと完全に一致する。なお、図１０では、第１クロック生成部１３１が48MHzのクロック（CLK）を生成し、第２クロック生成部１１４が4.8MHzのクロック（SSCK）を生成している場合を示している。
【００９２】
第２のユニークパターン検出部１５２は、正接続チェック用ユニークパターンの逆のパターンであって、２線ケーブルが逆接続である場合のチェック用ユニークパターン（以下、「逆接続チェック用ユニークパターン」という（図９の例では［ＬＬＬＨＨＨＨＨＨＨ］））を記憶している。そして、第２のユニークパターン検出部１５２は、第１のユニークパターン検出部１５１と同一タイミングで、受信データ反転部１１２から出力された受信データに含まれるプリアンブルデータをサンプリングし、サンプリング値と逆接続チェック用ユニークパターンを照合する。第２のユニークパターン検出部１５２は、サンプリング値と逆接続チェック用ユニークパターンが完全に一致した場合にユニークパターンを検出したと判定し、その旨を示す信号（図１０の例では、SSCSのＬ（Low）信号）をイネーブル信号生成部１５３に出力する。
【００９３】
イネーブル信号生成部１５３は、第１のユニークパターン検出部１５１あるいは第２のユニークパターン検出部１５２のいずれかから、ユニークパターンを検出した旨を示す信号を入力すると、クロック出力開始の基準となるトリガ信号を第２クロック生成部１１４に出力し、データ再生動作を許可するイネーブル信号を制御部１０７のデータ再生部１３３に出力する。
【００９４】
この場合、第２クロック生成部１１４は、イネーブル信号生成部１５３からトリガ信号を入力したタイミングから規定のクロック数の時間（図１０の区間５０２）後の第１周波数のクロック（図１０のｔ０）を開始タイミングとして、クロックを生成する。なお、図１０の例では、SSCKがCLKを１０分周したクロックであるので、規定のクロック数は「１０」となる。
【００９５】
なお、ドアホン親機２００の同期検出部２１３および増設モニタ３００の同期検出部３１３の内部構成も、図９に示した玄関子機１００の同期検出部１１３の内部構成と同一である。
【００９６】
＜同期検出処理のフロー＞
次に、玄関子機１００（同期検出部１１３、接続状態検出部１３４）における同期検出処理のフローについて図１１を用いて説明する。
【００９７】
ステップＳ６１０において、同期検出部１１３は、第１のユニークパターン検出部１５１および第２のユニークパターン検出部１５２により、第１クロック生成部１３１のクロックで、受信ドライバ１１１から出力された復調前の下り信号に含まれるプリアンブルデータをサンプリングし、プリアンブルデータのユニークパターンのチェックを行う。
【００９８】
ユニークパターンを検出できた場合（Ｓ６２０：ＹＥＳ）、ビット同期を取ることができたとして、フローをステップＳ６３０へ進め、検出できていない場合（Ｓ６２０：ＮＯ）、フローをステップＳ６１０に戻し、ユニークパターンのチェックを再び行う。
【００９９】
ステップＳ６３０において、接続状態検出部１３４は、データ再生部１３３から出力された受信データのシンクパターンのチェックを行う。
【０１００】
受信データのシンクパターンが、正接続チェック用シンクパターンと一致した場合（Ｓ６４０：ＹＥＳ）、ステップＳ６５０において、接続状態検出部１３４は、２線ケーブルが正接続であると判定し、同期検出処理を終了する。
【０１０１】
また、受信データのシンクパターンが、逆接続チェック用シンクパターンと一致した場合（Ｓ６４０：ＮＯ，Ｓ６６０：ＹＥＳ）、ステップＳ６７０において、接続状態検出部１３４は、２線ケーブルが逆接続であると判定し、同期検出処理を終了する。
【０１０２】
また、受信データのシンクパターンが、逆接続チェック用シンクパターンおよび逆接続チェック用シンクパターンのどちらにも一致しなかった場合（Ｓ６４０：ＮＯ，Ｓ６６０：ＮＯ）、ステップＳ６８０において、接続状態検出部１３４は、シンクパターンの検知に失敗したと判定し、フローをステップＳ６１０に戻し、ユニークパターンのチェックを再び行う。
【０１０３】
＜各装置の動作＞
次に、各装置の動作について説明する。
【０１０４】
＜玄関子機の動作＞
図１２は、玄関子機１００の動作の一例を示すフローチャートである。
【０１０５】
ステップＳ１０１０において、制御部１０７は、呼出ボタンが操作されたか否かを判定する。制御部１０７は、呼出ボタンが操作された場合（Ｓ１０１０：ＹＥＳ）、フローをステップＳ１０２０へ進め、操作されていない場合（Ｓ１０１０：ＮＯ）、フローを後述のステップＳ１１００へ進める。
【０１０６】
ステップＳ１０２０において、制御部１０７は、呼出信号をドアホン親機２００へ送信する。
【０１０７】
ステップＳ１０３０において、制御部１０７は、ドアホン親機２００から応答信号を受信したか否かを判定する。制御部１０７は、応答信号を受信していない場合（Ｓ１０３０：ＮＯ）、フローをステップＳ１０２０へ戻し、応答信号を受信した場合（Ｓ１０３０：ＹＥＳ）、フローをステップＳ１０４０へ進める。なお、制御部１０７は、呼出信号を所定回数送信しても応答信号を受信しない場合、フローを、後述のステップＳ１１００へ進めてもよい。
【０１０８】
ステップＳ１０４０において、制御部１０７は、マイク１０４、音声Ｉ／Ｆ部１０５、およびカメラ部１０６を用いて、音声入力および映像撮影を開始する。また、制御部１０７は、パケット生成部１３２および送信データ処理部１０８を用いて、送信の対象となる各種データ（制御データ／デジタル音声データ／デジタル映像データ）のパケット化および符号化を開始する。なお、制御部１０７は、デジタル音声データおよびデジタル映像データの送信レート制御を行ってもよい。
【０１０９】
ステップＳ１０５０において、制御部１０７は、子機側送信区間であるか否かを判定する。制御部１０７は、送信区間である場合（Ｓ１０５０：ＹＥＳ）、フローをステップＳ１０６０へ進め、送信区間ではない場合（Ｓ１０５０：ＮＯ）、フローを後述のステップＳ１０７０へ進める。
【０１１０】
ステップＳ１０６０において、制御部１０７は、送信ドライバ１１０を用いて、符号化により生成された上り信号を、２線ケーブルを介してドアホン親機２００へ送信する。なお、制御部１０７は、送信区間が終了したとき、上り信号の送信を停止する。
【０１１１】
ステップＳ１０７０において、制御部１０７は、親機側送信区間であるか否かを判定する。制御部１０７は、送信区間である場合（Ｓ１０７０：ＹＥＳ）、フローをステップＳ１０８０へ進め、送信区間ではない場合（Ｓ１０７０：ＮＯ）、フローを後述のステップＳ１０９０へ進める。
【０１１２】
ステップＳ１０８０において、制御部１０７は、下り信号の受信、各種データ（制御データ／音声データ）の抽出、および音声の出力を開始する。なお、制御部１０７は、送信区間が終了したとき、下り信号の受信あるいは各種データの抽出を停止する。
【０１１３】
ステップＳ１０９０において、制御部１０７は、玄関子機１００とドアホン親機２００との間の通話が終了したか否かを判定する。例えば、制御部１０７は、ドアホン親機２００で通話終了の操作が行われたことを示す信号をドアホン親機２００から受信したとき、通話が終了したと判定する。制御部１０７は、通話が終了していない場合（Ｓ１０９０：ＮＯ）、フローをステップＳ１０５０へ戻し、通話が終了した場合（Ｓ１０９０：ＹＥＳ）、フローをステップＳ１１００へ進める。
【０１１４】
ステップＳ１１００において、制御部１０７は、ドアホン機能に関する処理の終了を指示されたかを判定する。例えば、制御部１０７は、ドアホン親機２００でドアホン機能の停止の操作が行われたことを示す信号をドアホン親機２００から受信したとき、上記処理の終了を指示されたと判定する。制御部１０７は、上記処理の終了を指示されていない場合（Ｓ１１００：ＮＯ）、フローをステップＳ１０１０へ戻し、上記処理の終了を指示された場合（Ｓ１１００：ＹＥＳ）、一連の処理を終了する。
【０１１５】
＜ドアホン親機の動作＞
図１３は、ドアホン親機２００の動作の一例を示すフローチャートである。
【０１１６】
ステップＳ２０１０において、制御部２０７は、玄関子機１００から呼出信号を受信したか否かを判定する。制御部２０７は、呼出信号を受信した場合（Ｓ２０１０：ＹＥＳ）、フローをステップＳ２０２０へ進め、呼出信号を受信していない場合（Ｓ２０１０：ＮＯ）、フローを後述のステップＳ２０９０へ進める。
【０１１７】
ステップＳ２０２０において、制御部２０７は、応答信号を玄関子機１００へ送信するとともに、音声Ｉ／Ｆ部２０５およびスピーカ２０３を用いて、呼出音を出力する。
【０１１８】
ステップＳ２０３０において、制御部２０７は、マイク２０４および音声Ｉ／Ｆ部２０５を用いて、音声入力を開始する。また、制御部２０７は、パケット生成部２３２および送信データ処理部２０８を用いて、送信の対象となる各種データ（制御データ／デジタル音声データ）のパケット化および符号化を開始する。なお、制御部２０７は、デジタル音声データの送信レート制御を行ってもよい。
【０１１９】
ステップＳ２０４０において、制御部２０７は、子機側送信区間であるか否かを判定する。制御部２０７は、送信区間である場合（Ｓ２０４０：ＹＥＳ）、フローをステップＳ２０５０へ進め、送信区間ではない場合（Ｓ２０４０：ＮＯ）、フローを後述のステップＳ２０６０へ進める。
【０１２０】
ステップＳ２０５０において、制御部２０７は、上り信号の受信および各種データ（制御データ／音声データ／映像データ）の抽出を開始する。また、制御部２０７は、音声Ｉ／Ｆ部２０５、スピーカ２０３および液晶ディスプレイを用いて、音声および映像の出力を開始する。なお、制御部２０７は、送信区間が終了したとき、上り信号の受信あるいは各種データの抽出を停止する。
【０１２１】
ステップＳ２０６０において、制御部２０７は、親機側送信区間であるか否かを判定する。制御部２０７は、送信区間である場合（Ｓ２０６０：ＹＥＳ）、フローをステップＳ２０７０へ進め、送信区間ではない場合（Ｓ２０６０：ＮＯ）、フローを後述のステップＳ２０８０へ進める。
【０１２２】
ステップＳ２０７０において、制御部２０７は、送信ドライバ２１０を用いて、符号化により生成された下り信号を、２線ケーブルを介して玄関子機１００へ送信する。但し、制御部２０７は、上述の通り、応答ボタンが操作されるまでは、デジタル音声データの送信を行わないことが望ましい。なお、制御部２０７は、送信区間が終了したとき、下り信号の送信を停止する。
【０１２３】
ステップＳ２０８０において、制御部２０７は、玄関子機１００とドアホン親機２００との間の通話が終了したか否かを判定する。例えば、制御部２０７は、ドアホン親機２００で通話終了の操作が行われたこと検知したとき、通話が終了したと判定する。なお、制御部２０７は、かかる通話終了の操作が行われたとき、その旨を示す信号を玄関子機１００に送信することが望ましい。制御部２０７は、通話が終了していない場合（Ｓ２０８０：ＮＯ）、フローをステップＳ２０４０へ戻し、通話が終了した場合（Ｓ２０８０：ＹＥＳ）、フローをステップＳ２０９０へ進める。
【０１２４】
ステップＳ２０９０において、制御部２０７は、ドアホン機能に関する処理の終了を指示されたかを判定する。例えば、制御部２０７は、ドアホン親機２００でドアホン機能の停止の操作が行われたことを検知したとき、上記処理の終了を指示されたと判定する。なお、制御部２０７は、かかるドアホン機能の停止の操作が行われたとき、その旨を示す信号を玄関子機１００に送信することが望ましい。制御部２０７は、上記処理の終了を指示されていない場合（Ｓ２０９０：ＮＯ）、フローをステップＳ２０１０へ戻し、上記処理の終了を指示された場合（Ｓ２０９０：ＹＥＳ）、一連の処理を終了する。
【０１２５】
＜本実施の形態の効果＞
以上のように、本実施の形態によれば、２線ケーブルが逆接続の場合、送信側装置あるいは受信側装置のいずれか一方において、データを反転してから送信／受信を行うことにより、２線ケーブルの接続状態にかかわらず受信側装置がデータを復調することができる。したがって、工事作業者は、接続状態（正接続か逆接続か）を気にすることなく、２線ケーブルを配線することができるので、２線ケーブル配線時の作業効率を上げることができる。
【産業上の利用可能性】
【０１２６】
本開示は、カメラ付きの玄関子機とドアホン親機とからなるドアホンシステムに用いるに好適である。
【符号の説明】
【０１２７】
１  ドアホンシステム
１００  玄関子機
１０１、２０１、３０１  ケーブル接続部
１０２、２０２、３０２  キー入力部
１０３、２０３、３０３  スピーカ
１０４、２０４、３０４  マイク
１０５、２０５、３０５  音声Ｉ／Ｆ部
１０６  カメラ部
１０７、２０７、３０７  制御部
１０８、２０８、３０８  送信データ処理部
１０９、２０９、３０９  送信データ反転部
１１０、２１０、３１０  送信ドライバ
１１１、２１１、３１１  受信ドライバ
１１２、３１２  受信データ反転部
１１３、２１３、３１３  同期検出部
１１４、２１４、３１４  第２クロック生成部
１３１、２３１、３３１  第１クロック生成部
１３２、２３２、３３２  パケット生成部
１３３、２３３、３３３  データ再生部
１３４、２３４、３３４  接続状態検出部
１５１  第１のユニークパターン検出部
１５２  第２のユニークパターン検出部
１５３  イネーブル信号生成部
２００  ドアホン親機
２０６、３０６  ディスプレイ部
２１２  ルーティング制御部
３００  増設モニタ
【要約】
【課題】工事作業者による２線ケーブル配線時の作業効率の向上を図ること。
【解決手段】制御部１０７の接続状態検出部１３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。送信データ反転部１０９は、２線ケーブルが逆接続であると判定された場合、送信データ処理部１０８から出力された上り信号を反転させる。受信データ反転部１１２は、２線ケーブルが逆接続であると判定された場合、受信ドライバ１１１から出力された下り信号を反転させる。
【選択図】図３【図１】
0005984028.tif 000002
【図２】
0005984028.tif 000003
【図３】
0005984028.tif 000004
【図４】
0005984028.tif 000005
【図５】
0005984028.tif 000006
【図６】
0005984028.tif 000007
【図７】
0005984028.tif 000008
【図８】
0005984028.tif 000009
【図９】
0005984028.tif 000010
【図１０】
0005984028.tif 000011
【図１１】
0005984028.tif 000012
【図１２】
0005984028.tif 000013
【図１３】
0005984028.tif 000014